(57)【要約】  本デバイスは、地表に載っている雪、氷、砂、塩、泥、砂利、コンクリート、植物、穀物、砕片等といったマテリアルを処理する器具である。当該器具は、細長いハンドルと、細長いシャフトと、複合ブレードヘッドとを具える。ハンドルは細長いシャフトの近位端に取り付けられ、複合ブレードは細長いシャフトの遠位端に取り付けられる。この器具は、第１の器具部分または第２の器具部分の何れかを操作したときにマテリアルを押し引きすることができる。複合ブレードヘッドは、一般にシャベリングおよび掘削に適合した第１の器具部分と、切断および擦り落としに適合した第２の器具部分とを有する。器具をシャベル／掘削位置で使用した場合、突き固め、圧縮、および整地をすることができる。器具の構造は、攻撃的かつ繰り返し動作の応力や力に耐えるよう設計されている。【選択図】図２
2013502518.tif 000002
【特許請求の範囲】
【請求項１】
地表に載っている、あるいはその一部であるマテリアルを処理する器具において、当該器具が：
近位端と遠位端を有する細長いハンドルと；
近位端でハンドルに取り付ける手段を有する細長いシャフトと；
その中心部で前記細長いシャフトの遠位端に固定される複合ヘッドとを具え、当該複合ヘッドは、前記細長いハンドルに対して３０度未満の第１の接線角度を有する第１の器具部分と、前記細長いハンドルに対して６０乃至１２０度の第２の接線角度を有する第２の器具部分とを有しており；
当該器具は、前記第１の器具部分を用いて前記地表に対してほぼ接線方向に前記マテリアルに作用する、あるいは前記ハンドルを１８０度回転させることによって前記第２の器具部分を用いて前記地表に対してほぼ垂直方向に前記マテリアルに作用するために交互に使用できることを特徴とする器具。
【請求項２】
請求項１に記載の器具において、前記細長いシャフトを前記ハンドルに取り付ける手段が、前記細長いシャフトおよび前記ハンドル上の協働するねじ山を含むことを特徴とする器具。
【請求項３】
請求項１に記載の器具において、前記細長いシャフトを前記ハンドルに取り付ける手段が、相互に取り付けられた場合に前記細長いシャフトとハンドルを交差するピンを含み、当該ピンは前記ハンドルを前記細長いシャフトに固定することを特徴とする器具。
【請求項４】
請求項１に記載の器具において、前記細長いシャフトの遠位端および近位端の長軸が、遠位にオフセットしていることを特徴とする器具。
【請求項５】
請求項４に記載の器具において、前記遠位端および近位端のオフセットが、前記細長いシャフトに沿った少なくとも２の実質的に不連続の外形によって形成されていることを特徴とする器具。
【請求項６】
請求項１に記載の器具において、前記第１および第２の器具部分がそれぞれ、連続的な外形を有することを特徴とする器具。
【請求項７】
請求項１に記載の器具において、前記複合ヘッドが、単一の鋳金プロセスから形成されることを特徴とする器具。
【請求項８】
請求項１に記載の器具において、前記第１の器具部分の側面形状は第１の放物線の式によって概ね表すことができ、前記第２の器具部分の側面形状は、前記第１の放物線の式を基準に回転した第２の放物線の式によって概ね表すことができることを特徴とする器具。
【請求項９】
請求項８に記載の器具において、前記ハンドルの長軸が、前記第２の器具部分と交差することを特徴とする器具。
【請求項１０】
請求項１に記載の器具において、前記第１および第２の器具部分がそれぞれ、切断ブレードを有することを特徴とする器具。
【請求項１１】
請求項１に記載の器具において、前記第１の器具部分が切断ブレードを有し、前記第２の器具部分が複数の切断歯を有することを特徴とする器具。
【請求項１２】
請求項１に記載の器具において、前記第１の器具部分および前記第２の器具部分が、単一の共通の側壁を有することを特徴とする器具。
【請求項１３】
請求項１に記載の器具において、前記第１の器具部分および前記第２の器具部分が、２の共通の側壁を有することを特徴とする器具。
【請求項１４】
請求項１に記載の器具において、前記第１の器具部分が、少なくとも１の鋭い鋸状刃を有することを特徴とする器具。
【請求項１５】
請求項１に記載の器具において、前記第２の器具部分が、複数の歯を有することを特徴とする器具。
【請求項１６】
請求項１に記載の器具において、前記第１および第２の器具部分がそれぞれ、複数の鋭い突起部を有することを特徴とする器具。
【請求項１７】
請求項１に記載の器具において、前記第１の器具部分の先端が、鋭いＶ型ブレードを形成することを特徴とする器具。
【請求項１８】
請求項１に記載の器具において、前記第２の器具部分が、貫通する複数の開口部を有することを特徴とする器具。
【請求項１９】
請求項１に記載の器具において、前記細長いハンドルおよび細長いシャフトが、押出金属管から一体的に形成されることを特徴とする器具。
【発明の詳細な説明】
【技術分野】
【０００１】
本発明はマテリアルハンドリング器具に関し、より具体的には複合型器具に関するものである。
【背景技術】
【０００２】
複合型の雪用シャベルは当該技術分野においてよく知られている。例えば、１９１８年３月１９日のＷ．Ｈ．Ｍｉｌｌｅｒによる米国特許第１，２６０，２７６号は、このようなデバイスについて教示している。このようなデバイスは、雪や氷を所望の場所に移動させるために作られている。しかしながら、複合型の雪用シャベルへの多くの取り組みの発展に関わらず、これらの手法は多くの場合著しい欠点を有している。
【０００３】
１９６５年１２月１４日のＬ．Ｌ．Ｚｅｉｓｉｇによる米国特許第３，２２２，６９９号は、氷割りを取り付けたハンドル付の雪用シャベルについて教示している。このＺｅｉｓｉｇのデバイスは、シャベルおよび氷割りとして有効である。しかしながら、このＺｅｉｓｉｇのデバイスは、氷割りがシャベルのハンドルに位置しており、このデバイスは使用するために完全に反転させねばならないという欠点を有している。使用時、ハンドルは湿って汚くなり、理想的な２つのデバイスの組み合わせではない。さらに、このＺｅｉｓｉｇのデバイスは反転させる時間を取り、ハンドルを保持する２つの異なる方法を必要とする。従って、使用するために端と端を反転させる必要がないデバイスが必要である。さらに、シャベル用位置から氷割り用位置に素早く簡単に変化させることができるデバイスが必要である。さらに、使用時に快適かつ人間工学的なハンドル角度をもたらすデバイスが必要である。
【０００４】
１９１８年３月１９日のＷ．Ｈ．Ｍｉｌｌｅｒによる米国特許第１，２６０，２７６号はさらに、雪用シャベルと氷割りを教示している。Ｍｉｌｌｅｒのデバイスは、ショベルの端部に氷割りのブレードを取り付けることを教示している。この手法は器具の端と端を反転させねばならないという問題点を避け、ハンドルが湿って汚れないようにしている。しかしながら、この手法は、ユーザの必要性に応じて追加したり取り外すことを要する別個のアタッチメントを用いるという欠点を有している。さらに、氷割りアタッチメントは、氷を粉砕した衝撃を道具のハンドルを伝って主に垂直に伝達する、殆ど垂直の上下運動に用いられるよう設計されている。従って、各機能に対して別個のアタッチメントを必要としないデバイスが必要である。さらに、氷割り機能の構造がハンドルを伝って衝撃が直接的に伝達するのを防ぎ、氷を粉砕する反復運動の衝撃を制限するデバイスが必要である。
【０００５】
２つの公開された出願が、一体型に作られてアタッチメントを必要としない複合型の雪用シャベルを教示している。２００６年９月７日に公開されたＤａｗｅｓによる米国特許出願公開第２００６／０１９７３４９号は、複合型の雪用シャベルおよび雪プラウを教示している。２００９年２月２６日に公開されたＭａｒｌｉｎによる米国特許出願公開第２００９／００５１１８０号は、雪を押し引きする除雪器具を開示している。しかしながら、これらのデバイスの何れも、攻撃的に繰り返して雪、圧雪、氷、雪泥などを掘削したり切断する機能を提供するものではない。これらのデバイスは新雪を押し引きすることを意図した機能には適しているが、力強く反復的に激しく掘削したり切断することに耐える構造は明らかに意図しておらず、開示していない。従って、押し引きする機能を提供することに加えて、雪、圧雪、氷、雪泥などの処理および除去に多くの場合付随する攻撃的に繰り返し掘削したり切断する応力や力に耐える構造的設計の妥当性および頑強性をさらに有するデバイスが必要である。
【０００６】
本出願人の以前の特許出願では、上記の欠点を克服する複合型の器具を教示しており、雪の処理や氷の除去に特に適している。その中に教示された特徴の一部は、更に幅広い異なるマテリアルハンドリング器具および用途に適用できることが分かっている。このような、更なる態様や重要な特徴が本願には教示されている。
【０００７】
従って、使用するために端と端を反転することを要しないデバイスが必要である。さらに、シャベル用位置から氷粉砕用位置に素早く容易に変更できるデバイスが必要である。さらに、使用時に快適かつ人間工学的なハンドル角度を提供するデバイスが必要である。各機能について別個のアタッチメントを要しないデバイスが必要である。氷割りまたは擦り取りの特徴の構造がハンドルを伝って衝撃が直接伝達するのを防ぎ、氷を粉砕する反復運動のユーザへの衝撃を制限するデバイスが明らかに必要である。さらに、雪をシャベリングし、押し引きする機能を提供し、氷を切断する構造および繰り返し氷を切断する力に耐える頑強性を有するデバイスが必要である。幅広い異なる種類のマテリアルおよび用途に利用できるこのような発明が必要である。本発明は、これらの目的を実現する。
【発明の概要】
【０００８】
本デバイスは、地表に載っているマテリアルを処理する器具である。当該器具は、近位端と遠位端を有する細長いハンドルを具える。細長いシャフトは、近位端でハンドルに取り付ける手段を有する。
【０００９】
複合ヘッドは、その中心部で細長いシャフトの遠位端に固定される。複合ブレードは、地表に対して約３０度未満の角度で使用されたときに、シャベリング、掘削などに適合した第１の器具部分を有しており、この第１の器具部分は、細長いハンドルに対して３０度未満の第１の接線角度を有する。この複合ブレードは、地表に対して約６０度より大きい角度で使用されたときに、切断または擦り落とすことに適応した第２の器具部分を有しており、この第２の器具部分は、細長いハンドルに対して６０乃至１２０度の第２の接線角度を有する。
【００１０】
この器具は、マテリアルを交互に押し引きするために通常は使用することができる。ハンドルは地表に対してほぼ同一の角度に保たれるが、第１の器具部分を地表に対してほぼ接線方向に使用できるようにする、あるいは第２の器具部分を地表に対してほぼ直角に使用できるようにするため、交互に回転させられる。
【００１１】
第１および第２の器具部分は様々な形態を取ることができる。例えば、第１の器具部分は切断ブレードを有してもよく、第２の器具部分は複数の切断歯を有していてもよい。各器具部分は、単一または２つの共通する側壁を有しうる。第１の器具部分はさらに切断用の少なくとも１の鋭い鋸状刃を有したり、鋭いＶ型ブレードを形成してもよい。第２の器具部分は複数の歯を有していてもよい。
【００１２】
本発明は、使用するために端と端を反転させることを必要とせず、各機能のために別個のアタッチメントも必要としない器具である。本デバイスは、シャベル／掘削位置から切断／擦り落とし位置に素早く容易に回転させることができる。開示された器具は、シャベル／掘削位置および切断／擦り落とし位置の双方で押し引きする機能を提供する。突き固め、圧縮し、整地する機能および利点は、シャベル／掘削位置にある器具を操作したときに実現される。この構造は、攻撃的かつ繰り返し動作の応力および力に耐える程度に頑丈である。切断／擦り落とし機能のデザインは、ハンドルを伝って衝撃が直接伝達するのを防ぎ、ひいては反復運動時のユーザへの物理的応力を制限する。さらに、このデバイスは、使用時に快適かつ人間工学的に適したハンドル角度を提供する。本発明の他の機能および利点は、例示として本発明の原理を図示する添付の図面と併せて、以下の詳述から明らかとなるであろう。
【図面の簡単な説明】
【００１３】
【図１】図１は、本発明の第１の実施形態の斜視図であり、第２の器具部分を有する面上でマテリアルを処理している器具を図示している。
【図２】図２は、本発明の他の実施形態の側面図である。
【図３】図３は、本発明の部分分解斜視図であり、ピン、細長いシャフト、細長いハンドル、および複合ヘッドを図示している。
【図４】図４は、シャベル位置にある第１の器具部分を有する本発明の側面図である。
【図５】図５は、器具の部分分解側面図であり、細長いハンドルとシャフトに協働するねじ山を示し、細長いシャフトに沿って不連続な外形を図示している。
【図６】図６は、本発明の「バックホウハードスケーパー」の実施形態の斜視図である。
【図７】図７は、図６の実施形態の右側面図であり、左側面図はその鏡像である。
【図８】図８は、図６の実施形態の正面図である。
【図９】図９は、本発明の「小型の泥掘削道具」の実施形態の斜視図である。
【図１０】図１０は、図９の実施形態の右側面図であり、左側面図はその鏡像である。
【図１１】図１１は、図９の実施形態の正面図である。
【図１２】図１２は、本発明の「多機能ガーデニング道具」の実施形態の斜視図である。
【図１３】図１３は、図１２の実施形態の右側面図であり、左側面図はその鏡像である。
【図１４】図１４は、図１２の実施形態の正面図である。
【図１５】図１５は、本発明の「モルタルミキサ」の実施形態の斜視図である。
【図１６】図１６は、図１５の実施形態の右側面図であり、左側面図はその鏡像である。
【図１７】図１７は、図１５の実施形態の正面図である。
【図１８】図１８は、本発明の「横長熊手＆シャベル」の実施形態の斜視図である。
【図１９】図１９は、図１８の実施形態の右側面図であり、左側面図はその鏡像である。
【図２０】図２０は、図１８の実施形態の正面図である。
【図２１】図２１は、本発明の「両面三叉」の実施形態の斜視図である。
【図２２】図２２は、図２１の実施形態の右側面図であり、左側面図はその鏡像である。
【図２３】図２３は、図２１の実施形態の正面図である。
【図２４】図２４は、本発明の「トレンチャー」の実施形態の斜視図である。
【図２５】図２５は、図２４の実施形態の右側面図であり、左側面図はその鏡像である。
【図２６】図２６は、図２４の実施形態の正面図である。
【図２７】図２７は、本発明の第１の「ショートハンドル園芸道具」の実施形態の斜視図である。
【図２８】図２８は、図２７の実施形態の右側面図であり、左側面図はその鏡像である。
【図２９】図２９は、図２７の実施形態の正面図である。
【図３０】図３０は、本発明の第２の「ショートハンドル園芸道具」の実施形態の斜視図である。
【図３１】図３１は、図３０の実施形態の右側面図であり、左側面図はその鏡像である。
【図３２】図３２は、図３０の実施形態の正面図である。
【図３３】図３３は、本発明の「伸長型のガーデニング器具」の実施形態の斜視図である。
【図３４】図３４は、図３３の実施形態の右側面図であり、左側面図はその鏡像である。
【図３５】図３５は、図３３の実施形態の正面図である。
【図３６】図３６は、本発明の第１の「コンクリート形態」の実施形態の斜視図である。
【図３７】図３７は、図３６の実施形態の右側面図であり、左側面図はその鏡像である。
【図３８】図３８は、図３６の実施形態の正面図である。
【図３９】図３９は、本発明の第２の「外構作業器具」の実施形態の斜視図である。
【図４０】図４０は、図３９の実施形態の右側面図であり、左側面図はその鏡像である。
【図４１】図４１は、図３９の実施形態の正面図である。
【図４２】図４２は、本発明の「消防士用器具」の実施形態の斜視図である。
【図４３】図４３は、図４２の実施形態の右側面図であり、左側面図はその鏡像である。
【図４４】図４４は、図４２の実施形態の正面図である。
【図４５】図４５は、第１および第２の器具部分に関連する第１および第２の放物曲線の図である。
【発明を実施するための形態】
【００１４】
本発明の実施例を以下に説明する。以下の説明は、これらの実施形態を完全に理解させて、説明できるように特定の細部を提供している。当該技術分野における当業者は、本発明はこのような詳細がなくとも実施できることを理解するであろう。他の例では、既知の構造および機能は、実施形態の記載を無用に曖昧にするのを避けるため図示または記載されていない。
【００１５】
文脈上異なる解釈を要する場合を除き、説明および特許請求の範囲を通して、用語「具える」、「具えている」等の表現は、排他的または網羅的な意味とは反対に包括的な意味、すなわち、「含んでいるが、それに限定はされない」と解釈すべきである。単数形または複数形を用いる語もまた、複数または単数をそれぞれ含んでいる。さらに、「本書」、「上記」、「以下の」および同様の意味の表現が本願に使用された場合、本願の特定の部分ではなく、全体として本出願を指すものとする。２以上の項目のリストを指す表現「または」が特許請求の範囲で使用された場合、この表現は、以下の語の解釈：このリストの項目の何れか、このリストの項目の全て、およびこのリストの項目の組み合わせ、の全てを包含する。
【００１６】
図面に関して、図１は、地表３０の上に載っているマテリアル２０を処理するための器具１０を図示している。マテリアル２０は、雪、氷、雪泥、砂、塩、泥、砂利、コンクリート、穀物などといった様々なマテリアルであってもよい。器具１０は、図１に示すように、近位端４２と遠位端４８とを有する細長いハンドル４０を具えている。図３では、器具１０の細長いシャフト５０は、近位端５２でハンドル４０に取り付ける手段６０を有している。このようなハンドルは一般に、数インチから数フィートの長さであってもよい。
【００１７】
図２および３では、複合ヘッド７０は、その中央部７５で細長いシャフト５０の遠位端５８に固定されている。この複合ヘッド７０は、図４に示すように、細長いハンドル４０に対して３０度未満の第１の接線角度α１を有する第１の器具部分８０を有している。この複合ヘッド７０は、図２に示すように、細長いハンドル４０に対して６０乃至１２０度の第２の接線角度α２を有する第２の器具部分９０を有している。第１の器具部分８０が第２の器具部分９０の下側となるように複合ヘッド７０を回転させると、地表３０に沿ってシャベリングまたは掘削様式で器具１０を簡単に使用することができ、第１の器具部分８０は地表３０に対して実質的に接線方向にマテリアル２０に作用する。本書の用語「シャベリング（ｓｈｏｖｅｌｉｎｇ）」は、器具が地表に対して垂直というよりも水平にあることを要する、整地、突き固め、掘削等の動作を意味しうる。第２の器具部分９０が第１の器具部分８０の下側となるように複合ヘッド７０を回転させると、地表３０への切断または鍬様式で器具１０を簡単に使用することができ、第２の器具部分９０は地表３０に対して実質的に垂直にマテリアル２０に作用する。本書では、用語「切断（ｃｈｏｐｐｉｎｇ）」は、擦り落とし、杭打ち、掘削、鍬入れ、レーキング等を指すこともある。
【００１８】
特定の器具部分８０、９０は多くの様々な形態を取ることができるが、一般に第１の器具部分８０の側面形状は、例えば、ｙ＝３／８ｘ２−１／４ｘなどの第１の放物線の式Ｐ１（図４５）によって概ね説明することができ、第２の器具部分９０の側面形状は第２の放物線の式Ｐ２によって概ね説明することができる。第２の放物線の式Ｐ２は第１の放物線の式Ｐ１と同一であっても異なっていてもよいが、第１の放物線の式Ｐ１に対して、９０度程度回転している。このように、器具１０を用いて、一般にマテリアル２０を交互にシャベリングしたり掘削することができる。このハンドル４０は地表３０に対して概ね同一の角度に保持されるが、第１または第２の器具部分８０、９０の何れかをマテリアル２０に交互に使用できるように回転させられる。他の実施形態では、第２の器具部分９０が約６０度以上９０度未満の角度で使用される場合、第２の器具部分９０はマテリアル２０を切断または擦り落とすように適合する。
【００１９】
単純な実施形態では、第１および第２の器具部分８０、９０はそれぞれ、切断ブレード１６０を有しうる（図３）。一実施形態では、第１および第２の器具部分８０、９０それぞれの切断ブレード１６０が実質的に互いに平行である。各切断ブレード１６０の鋭度は、例えば、地表３０に損傷を与えうる、および／またはユーザに痛みや外傷を与えうる、下方への過度のスラストを必要とせずに地表からマテリアル２０を分離することに寄与する。
【００２０】
この器具１０は、更なる向きに使用することもできる。斜めの向き（図示せず）では、複合ヘッド７０の角部８２、９２（図３）を地表に対して様々な角度で使用し、地表３０の狭い隙間まで到達させることができる。横向きでは、サイドエッジ７６を用いて、樹木や柱の近く、および地表３０上の他の構造（図示せず）の周囲のマテリアル２０を処理することができる。一実施形態では、複合ヘッド７０の各サイドエッジ７６は平面状であって、地表３０上のマテリアル２０を処理する機能を提供する。他の実施形態では、平面的な各サイドエッジ７６は、各切断ブレード１６０に対して実質的に垂直である。
【００２１】
図５に図示された一実施形態では、細長いシャフト５０をハンドル４０に取り付ける手段６０は、細長いシャフト５０およびハンドル４０に協働するねじ山１００を具えている。図３および４に示す他の実施形態では、細長いシャフト５０をハンドル４０に取り付ける手段６０は、互いに取り付けられたときに細長いシャフト５０とハンドル６０を交差するピン１１０を具えている。このピン１１０は、ハンドル４０を細長いシャフト５０に固定する。取り付け手段６０は、超音波溶接、接着剤、金属溶接などであってもよい。しかしながら、ハンドル４０および細長いシャフト５０は、押出アルミニウムチューブから一体的に形成され、細長いシャフト５０部分が適切な形状に湾曲して波状にされ、複合ヘッド７０に溶接される（図２）ことが好ましい。
【００２２】
図５に図示されているように、細長いシャフト５０の遠位端の長軸ｌ１および近位端の長軸ｌ２は平行であるが遠位にオフセットしており、器具１０を使用する時にこのオフセットが人間工学的且つ効率的な角度を提供する。一実施形態では、遠位端ｌ１および近位端ｌ２のオフセットは、細長いシャフト５０に沿った連続的な外形１２０（図４）によって形成される。他の実施形態では、遠位端ｌ１および近位端ｌ２のオフセットは、細長いシャフト５０に沿った少なくとも２の実質的に不連続の外形１３０（図５）によって形成される。一実施形態では、第１および第２の器具部分８０、９０はそれぞれ、その長さに沿って連続的な外形１４０（図４）を有する。通常、ハンドル４０の長軸ｌ３（図２）は細長いシャフト５０の近位端５２の長軸ｌ２と一致し、ハンドル４０の長軸ｌ３は第２の器具部分９０を交差する。
【００２３】
一実施形態では、複合ヘッド７０は、単一の鋳金プロセスから形成することができる。他の実施形態では、複合ヘッド７０は押出成形プロセスから形成することができる。これらの実施形態では、細長いシャフト５０は、機械的な留め具、溶接等を用いて複合ヘッド７０に固定されうる。代替的な一実施形態では、複合ヘッド７０および細長いシャフト５０は単一の鋳金プロセスから形成することができる。器具１０は剛性金属材料といった頑丈かつ耐久性がある材料から作られることが好ましいが、必要に応じて、硬い剛性プラスチック材といった適切な耐久性がある剛性材料から形成することもできる。細長いハンドル４０もまた、木、ガラス繊維、または金属などの剛性の耐久性がある材料から作ることができる。
【００２４】
器具１０のサイズは、異なる大きさへのユーザや作業の必要性に適合しうる。器具１０の利点は、雪、雪泥および氷などのマテリアル２０を階段（図示せず）から除去すべく効率的なサイズにすることができる点である。一部の階段はあまり奥行きがなく、各器具部分８０、９０の構造は、階段からマテリアル２０を効率的に除去することができるように適したデザインである。他の利点は、この器具１０は幾つもの機能を共に組み合わせており、それぞれを人間工学的に使用できる点である。天候が寒くて不本意な場合、多くの機能を有する１つのデバイスを有していると、複数のデバイスを携行する、あるいは更なるデバイスを回収するために往復する面倒さや不便が避けられる。
【００２５】
第１および第２の器具部分８０、９０は様々な形態を取ることができる。例えば、第１の器具部分８０が切断ブレード１６０を有し、第２の器具部分が複数の切断歯１７０を有してもよい（図６）。各器具部分８０、９０は、１または２の共通の側壁１８０を有してもよい（図９および１５）。第１の器具部分８０は切断用の少なくとも１の鋭い鋸状刃１９０を具えてもよく（図１２）、鋭いＶ型ブレード２２０を形成してもよい（図２７）。第２の器具部分９０は、複数の歯２００を有してもよい（図１８）。
【００２６】
ここで具体的な実施形態を参照すると、図１−５は、第２の器具部分９０を用いて氷や圧雪を切断したり粉砕し、第１の器具部分８０を用いてこれらをシャベリングすることに特に適した実施形態を図示している。
【００２７】
図６−８は、第２の器具部分９０を用いて切断および切削するのに特に適した「バックホウハードスケーパー（Ｂａｃｋ  Ｈｏｅ  Ｈａｒｄｓｃａｐｅｒ）」の実施形態を図示しており、第１の器具部分８０は切断ブレード１６０を有し、上方に回転させたときにユーザは更なる重量を器具に加えて、第２の器具部分９０により付与される切削および掘削力を増加させることができ、マテリアル２０の突き固め、圧縮、および整地作業を行う手段として有用である。この実施形態は、通常の外構および造園作業に適している。
【００２８】
図９−１１は、第２の器具部分９０を用いて切断するのに特に適した「小型の泥掘削道具（Ｃｏｍｐａｃｔ  Ｄｉｒｔ  Ｄｉｇｇｅｒ）」の実施形態を図示しており、第１の器具部分８０は切断ブレード１６０を有し、上方に回転させたときにユーザは更なる重量を器具に加えて、第２の器具部分９０により付与される切断および掘削力を増加させることができ、マテリアル２０の付き固め、圧縮、および整地作業を行う手段として有用である。この第２の器具部分９０は、圧縮した土壌、泥、氷、雪などを緩めるための複数の切断歯１７０を有している。この実施形態は、従来のつるはし、スペード型シャベル、鍬、およびタンパーの機能の多くを組み合わせた、外構作業、掘削、造園、土壌の曝気、氷や雪の粉砕、および通常のガーデニング作業に適している。
【００２９】
図１２−１４は、ガーデニングに特に適した「多機能ガーデニング道具（Ｍｕｌｔｉ−Ｆｕｎｃｔｉｏｎ  Ｇａｒｄｅｎｉｎｇ）」の実施形態を図示している。第１の器具部分８０はエッジング等に適した弧形の切断ブレード１６０を有し、上方に回転させたときにユーザは更なる重量を器具に加えて、第２の器具部分９０により付与される切断および掘削力を増加させることができる手段として有用である。第１の器具部分８０はマテリアル２０の突き固め、圧縮、および整地作業を容易にするよう適合しており、根などを切断するための鋭い鋸状刃１９０を有している。第２の器具部分９０は、圧縮した土壌、泥、氷、雪などを緩めるための複数の切断歯１７０を有している。この実施形態は、従来のエッジャー、スペード型シャベル、鍬、庭用鍬、耕作具、ハンドスペーサ、およびタンパーの機能の多くを組み合わせており、一般のガーデニング作業に適している。
【００３０】
図１５−１７は、セメント、コンクリートおよびモルタルのマテリアル２０を伴う作業に特に適した「モルタルミキサ（Ｍｏｒｔａｒ  Ｍｉｘｅｒ）」の実施形態を図示している。第１の器具部分８０は、マテリアル２０を手押し車または他の容器からすくうことができる側壁１８０を有し、例えば、ハンドル５０を回転させると、このようなマテリアル２０を作業領域に正確に配置することが可能となる。第１の器具部分８０は、すくう又はシャベリングによってマテリアル２０を混合するのに適合しているが、水または湿気はマテリアル２０から漏出することはできない。第２の器具部分９０は擦り落としや混合に適合しており、マテリアル２０をより完全に混合すべくマテリアル２０が通過できる複数の開口部２３０を有している。この実施形態は、従来のコンクリート／モルタル混合道具、スペード型シャベル、およびフラットシャベルの機能の多くを組み合わせた、一般のコンクリート作業に適している。
【００３１】
図１８−２０は、レーキング、シャベリング、突き固めおよび整地に特に適した「造園用またはアスファルト用の熊手およびシャベル（Ｌａｎｄｓｃａｐｅ  ｏｒ  Ａｓｐｈａｌｔ  Ｒａｋｅ  ａｎｄ  Ｓｈｏｖｅｌ）」の実施形態を図示している。第１の器具部分８０は比較的幅広のシャベル１５０を有し、泥、樹皮のマルチ、砂利、アスファルト等といったマテリアルの運搬および整地を容易にするのに適合している。第２の器具部分９０は複数の歯２００を有し、泥、樹皮のマルチ、砂利、アスファルト等といったマテリアルをレーキングするのに適している。この実施形態は、従来の熊手、フラットシャベル、タンパーおよびならし具の機能の多くを組み合わせている。
【００３２】
図２１−２３は、干し草、牧草、樹皮のマルチ、葉くず等といったマテリアル２０を運搬するのに特に適した「両面三叉（Ｄｕａｌ  Ｐｉｔｃｈｆｏｒｋ）」の実施形態を図示している。第１および第２の器具部分８０、９０は複数の鋭い突起部２１０を有し、第２の器具部分９０はこの突起部を用いてマテリアルを大量に集めるかレーキングすることができ、第１の器具部分８０はこの突起部を用いて持ち上げて運搬すべくマテリアル２０を貫通させる。この実施形態は造園に適しており、従来の三叉および耕作具または熊手の機能の多くを組み合わせている。
【００３３】
図２４−２６は、狭い溝を掘削して形成するのに特に適した「トレンチャー（Ｔｒｅｎｃｈｅｒ）」の実施形態を図示している。第１の器具部分８０はシャベリングに適した弧形の切断ブレード１６０を有し、上方に回転させたときにユーザは更なる重量を器具に加えて、第２の器具部分９０により付与される切断および掘削力を増加させることができる手段として有用である。第１の器具部分８０は、マテリアル２０の突き固め、圧縮、および整地作業を容易にするのに適合しており、シャベリングや持ち上げるために内側にマテリアル２０を取り込む２の共通の側壁１８０を有している。第２の器具部分９０は、圧縮した土壌、泥等を緩めるための複数の切断歯１７０を有している。この実施形態は溝掘り作業に適しており、従来のトレンチシャベル、ドレインまたはトレンチスペード、およびタンパーの機能の多くを組み合わせている。
【００３４】
図２７−３２は、ガーデニングに特に適している２の「ショートハンドル園芸道具（Ｓｈｏｒｔ  Ｈａｎｄｌｅ  Ｇａｒｄｎｅｒ）」の実施形態を図示している。この第１の器具部分８０は、掘削、根の切断等に適した鋭いＶ型ブレード２２０を有している。この第１の器具部分８０はマテリアル２０を容易にシャベリングするのに適合しており、根などを切断する鋭い鋸状刃１９０を具えている。第２の器具部分９０は、圧縮した土壌、泥等を緩めるための複数の歯２００または切断歯１７０を有している。この実施形態は、近接して作業するために比較的短いハンドルを有することが好ましく、一般のガーデニング作業に適しており、こて、耕作具、雑草除去具等といった従来の柄が短いガーデニング道具の機能の多くを組み合わせている。図３３−３５は、調整可能な伸長ハンドル４０を有する、同様の「伸長型のガーデニング器具（Ｅｘｔｅｎｄｉｎｇ  Ｇａｒｄｅｎ  Ｔｏｏｌ）」の実施形態を図示している。
【００３５】
図３６−４１は、コンクリート、セメントおよびモルタルのマテリアル２０を成型、形成、および仕上げに特に適した「コンクリート形態（Ｃｏｎｃｒｅｔｅ  Ｆｏｒｍ）」および「外構作業器具（Ｈａｒｄｓｃａｐｉｎｇ  Ｈａｎｄ  Ｔｏｏｌ）」の実施形態を図示している。第１および第２の器具部分８０、９０は、マテリアル２０を手押し車または他の場所から、例えばシャベリング動作ですくうことができる２の共通の側壁１８０を有している。第２の器具部分９０は、すくい上げや混合に適合している。この実施形態は通常のコンクリート仕上げ作業に適しており、従来のコンクリート／モルタルこて、ならし具およびタンパーの機能の多くを組み合わせている。
【００３６】
図４２−４４は、消火活動での使用に特に適した「消防士用器具（Ｆｉｒｅｆｉｇｈｔｅｒ’ｓ  Ｔｏｏｌ）」の実施形態を図示している。第１および第２の器具部分８０、９０は、砕片などのマテリアル２０をシャベリング動作ですくうことができる２の共通の側壁１８０を有している。第２の器具部分９０は、擦り落とし、切断、粉砕等に適している。この実施形態は、従来の「マクリード（ＭｃＬｅｏｄ）」型の消火器具の機能の多くをスペード型シャベルと組み合わせている。
【００３７】
本発明の特定の形態が図示され説明されてきたが、本発明の概念および範囲を越えることなく、様々な改変をすることができると理解されたい。例えば、細長いシャフト５０をハンドル４０に取り付ける手段６０は、接着、溶接、または更なる機械的な留め具を含みうる。従って、添付の特許請求の範囲による以外は本発明が限定されることを意図していない。
【００３８】
本書に与えられた教示は他のシステムに適用することもでき、必ずしも本書に記載されたシステムに適用されるとは限らない。上述した様々な実施形態の要素および機能は、更なる実施形態を提供すべく組み合わせることができる。添付の提出書類に列記されたものを含む、上記の発明および出願および他の参考文献の全ては、参照により本書に組み込まれる。本発明の態様は、必要に応じて、上述した様々な参考文献のシステム、機能、及び概念を利用し、さらに本発明の更なる実施形態を提供するために改変することができる。
【００３９】
詳細な説明を考慮して、これらおよび他の変更を本発明に変更を加えることもできる。上述の説明は本発明の特定の実施形態を詳述し、想定されるベストモードについて記載しているが、如何に詳しく上記の文中に表されていたとしても、本発明は多くの方法で実施することができる。このシステムの詳細は本書に開示された発明に包含されているが、その実施の詳細については大幅に異なっていてもよい。
【００４０】
本発明の特定の特徴または態様を説明する際に用いられる特定の用語は、その用語に関連する本発明の如何なる特定の特性、特徴、または態様に制限されるように用語が再定義されていると解釈すべきではない。一般に、以下の特許請求の範囲に用いられる用語は、上記の詳細な説明部がこのような用語を明確に規定していない限り、本発明を本明細書に開示された特定の実施形態に限定するよう解釈すべきではない。従って、本発明の実際の範囲は、開示された実施形態だけではなく本発明を実施または実行する全ての均等方法も包含している。
【００４１】
本発明の実施形態の上記の詳しい説明は、本発明を網羅している、あるいは本発明を上記に開示された厳密な形態または本開示で言及された特定の使用分野に限定することを意図するものではない。例えば、本発明の特定の実施形態が例示するために上述されているが、関連技術の当業者が認識するように、本発明の範囲内で様々な均等の改変も可能である。さらに、本書に与えられた発明の教示は他のシステムにも適用することができ、必ずしも上記のシステムでなくともよい。上述した様々な実施形態の要素および機能は、更なる実施形態を提供すべく組み合わせることができる。
【００４２】
添付の提出書類に列記されたものを含む、上記の発明および出願および他の参考文献の全ては、参照により本書に組み込まれる。本発明の態様は、必要に応じて、上述した様々な参考文献のシステム、機能、およびの概念を利用し、さらに本発明の更なる実施形態を提供するために改変することができる。
【００４３】
上記の「詳細な説明」を考慮して本発明に変更を加えることもできる。上記の説明は本発明の特定の実施形態を詳述し、想定されるベストモードについて記載しているが、如何に詳しく上記の文中に表されていたとしても、本発明は多くの方法で実施することができる。従って、実施の詳細は本書に開示されれた発明に包含されているが、大幅に異なっていてもよい。上述のように、本発明の特定の特徴または態様を説明する際に用いられる特定の用語は、その用語に関連する本発明の如何なる特定の特性、特徴、または態様に制限されるように用語が再定義されていると解釈すべきではない。
【００４４】
一般に、以下の特許請求の範囲に用いられる用語は、上記の詳細な説明部がこのような用語を明確に規定していない限り、本発明を本明細書に開示された特定の実施形態に限定するよう解釈すべきではない。従って、本発明の実際の範囲は、開示された実施形態だけではなく、特許請求の範囲の発明を実施または実行する全ての均等方法も包含している。
【００４５】
本発明の特定の態様が以下の特定の請求項の形態に表されているが、発明者は幾つもの請求項の形態について本発明の様々な態様を意図している。従って、発明者は、本発明の他の態様についてこのような更なる請求項の形態を追求するため、出願後に更なる請求項を追加する権利を保有するものとする。
【図１】
2013502518.tif 000003
【図２】
2013502518.tif 000004
【図３】
2013502518.tif 000005
【図４】
2013502518.tif 000006
【図５】
2013502518.tif 000007
【図６】
2013502518.tif 000008
【図７】
2013502518.tif 000009
【図８】
2013502518.tif 000010
【図９】
2013502518.tif 000011
【図１０】
2013502518.tif 000012
【図１１】
2013502518.tif 000013
【図１２】
2013502518.tif 000014
【図１３】
2013502518.tif 000015
【図１４】
2013502518.tif 000016
【図１５】
2013502518.tif 000017
【図１６】
2013502518.tif 000018
【図１７】
2013502518.tif 000019
【図１８】
2013502518.tif 000020
【図１９】
2013502518.tif 000021
【図２０】
2013502518.tif 000022
【図２１】
2013502518.tif 000023
【図２２】
2013502518.tif 000024
【図２３】
2013502518.tif 000025
【図２４】
2013502518.tif 000026
【図２５】
2013502518.tif 000027
【図２６】
2013502518.tif 000028
【図２７】
2013502518.tif 000029
【図２８】
2013502518.tif 000030
【図２９】
2013502518.tif 000031
【図３０】
2013502518.tif 000032
【図３１】
2013502518.tif 000033
【図３２】
2013502518.tif 000034
【図３３】
2013502518.tif 000035
【図３４】
2013502518.tif 000036
【図３５】
2013502518.tif 000037
【図３６】
2013502518.tif 000038
【図３７】
2013502518.tif 000039
【図３８】
2013502518.tif 000040
【図３９】
2013502518.tif 000041
【図４０】
2013502518.tif 000042
【図４１】
2013502518.tif 000043
【図４２】
2013502518.tif 000044
【図４３】
2013502518.tif 000045
【図４４】
2013502518.tif 000046
【図４５】
2013502518.tif 000047
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
地表に載っている、あるいはその一部であるマテリアルを処理する器具において、当該器具が：
近位端と遠位端を有する細長いハンドルと；
前記細長いハンドルの近位端における細長いシャフトと；
その中心部で前記細長いシャフトの遠位端に固定される複合ヘッドとを具え、当該複合ヘッドは、第１の器具部分であって、当該第１の器具部分の端部において前記細長いハンドルに対して３０度未満の第１の接線角度を有する第１の器具部分を有し、第２の器具部分であって、当該第２の器具部分の端部において前記細長いハンドルに対して６０乃至１２０度の第２の接線角度を有する第２の器具部分を有しており；
前記第１の器具部分は第１の放物線の式を規定する側面形状を有し、前記第２の器具部分は前記第１の放物線の式を基準に回転した第２の放物線の式を規定する側面形状を有しており；
前記第１および第２の器具部分は、前記放物線の式の間に連続的な非線形の移行部を有しており；
前記細長いシャフトの遠位端および近位端は、遠位にオフセットした長軸を有しており；
当該器具は、前記第１の器具部分を用いて前記マテリアルに作用するよう第１の向きに、あるいは前記ハンドルを１８０度回転させることによって前記第２の器具部分を用いて前記マテリアルに作用するよう第２の向きに、交互に使用できることを特徴とする器具。
【請求項２】
請求項１に記載の器具において、前記細長いシャフトが溶接およびアタッチメントの少なくとも一方によって前記ハンドルに取り付けられ、前記アタッチメントは、前記細長いシャフトおよび前記ハンドル上の協働するねじ山、および相互に取り付けられた場合に前記細長いシャフトとハンドルを交差するピンであって、前記ハンドルを前記細長いシャフトに固定するピンの少なくとも一方を具えていることを特徴とする器具。
【請求項３】
請求項１に記載の器具において、前記細長いシャフトが、当該細長いシャフトに沿った少なくとも２の実質的に不連続の外形を具えることを特徴とする器具。
【請求項４】
請求項１に記載の器具において、前記複合ヘッドが、単一の鋳金プロセスから形成されることを特徴とする器具。
【請求項５】
請求項１に記載の器具において、前記ハンドルの長軸が交点で前記第２の器具部分と交差し、前記シャフトは前記交点から間隔をあけた地点で前記第１の器具部分に取り付けられることを特徴とする器具。
【請求項６】
請求項１に記載の器具において、前記細長いシャフトの遠位端が、前記第１の器具部分の頂部で前記複合ヘッドに取り付けられることを特徴とする器具。
【請求項７】
請求項１に記載の器具において、前記第１の器具部分および前記第２の器具部分が、前記第１および第２の放物線の式の形状に従った単一の共通の側壁を有することを特徴とする器具。
【請求項８】
請求項１に記載の器具において、前記第１の器具部分および前記第２の器具部分が、前記第１および第２の放物線の式の形状に従った２の共通の側壁を有することを特徴とする器具。
【請求項９】
請求項１に記載の器具において、前記細長いハンドルおよび細長いシャフトが、押出金属管から一体的に形成されることを特徴とする器具。
【請求項１０】
請求項１に記載の器具において、前記第１の器具部分および前記第２の器具部分の少なくとも一方が、切断ブレード、鋭い鋸状刃、鋭いＶ型ノッチ、複数の切断歯、複数の歯、複数の鋭い突起部、およびブレードにおける複数の開口部のうち１つを具えることを特徴とする器具。
【請求項１１】
地表に載っている、あるいはその一部であるマテリアルを処理する器具において、当該器具が：
近位端と遠位端を有する細長いハンドルと；
前記細長いハンドルの近位端における細長いシャフトと；
前記細長いシャフトの遠位端に固定される複合ヘッドとを具え、当該複合ヘッドは第１の器具部分と第２の器具部分を有しており、前記第１の器具部分は前記ハンドルに対して凸面を規定する側面形状を有し、前記第２の器具部分は前記細長いハンドルに対して凹面を規定する側面形状を有し、前記複合ヘッドは前記凸面および前記凹面の双方の一部を形成する連続的な非線形の部分を具えており；
前記細長いシャフトの遠位端は、前記細長いハンドルの長軸からオフセットしており；
当該器具は、前記第１の器具部分を用いて前記マテリアルに作用するよう第１の向きに、あるいは前記ハンドルを１８０度回転させることによって前記第２の器具部分を用いて前記マテリアルに作用するよう第２の向きに、交互に使用できることを特徴とする器具。
【請求項１２】
請求項１１に記載の器具において、前記第１の器具部分は、当該第１の器具部分の端部において前記細長いハンドルに対して３０度未満の第１の接線角度を有し、前記第２の器具部分は、当該第２の器具部分の端部において前記細長いハンドルに対して６０度乃至１２０度の第２の接線角度を有することを特徴とする器具。
【請求項１３】
請求項１１に記載の器具において、前記細長いシャフトが溶接およびアタッチメントの少なくとも一方によって前記ハンドルに取り付けられ、前記アタッチメントは、前記細長いシャフトおよび前記ハンドル上の協働するねじ山、および相互に取り付けられた場合に前記細長いシャフトとハンドルを交差するピンであって、前記ハンドルを前記細長いシャフトに固定するピンの少なくとも一方を具えていることを特徴とする器具。
【請求項１４】
請求項１１に記載の器具において、前記細長いシャフトが、前記細長いシャフトに沿った少なくとも２の実質的に不連続の外形を具えることを特徴とする器具。
【請求項１５】
請求項１１に記載の器具において、前記複合ヘッドが、単一の鋳金プロセスから形成されることを特徴とする器具。
【請求項１６】
請求項１１に記載の器具において、前記ハンドルの長軸が交点で前記第２の器具部分と交差し、前記シャフトは前記交点から間隔をあけた地点で前記第１の器具部分に取り付けられることを特徴とする器具。
【請求項１７】
請求項１１に記載の器具において、前記細長いシャフトの遠位端が、前記第１の器具部分の頂部で前記複合ヘッドに取り付けられることを特徴とする器具。
【請求項１８】
請求項１１に記載の器具において、前記第１の器具部分および前記第２の器具部分が、前記第１および第２の器具部分の側面形状に従った単一の共通の側壁を有することを特徴とする器具。
【請求項１９】
請求項１１に記載の器具において、前記第１の器具部分および前記第２の器具部分が、前記第１および第２の器具部分の側面形状に従った２の共通の側壁を有することを特徴とする器具。
【請求項２０】
請求項１１に記載の器具において、前記細長いハンドルおよび細長いシャフトが、押出金属管から一体的に形成されることを特徴とする器具。
【請求項２１】
請求項１１に記載の器具において、前記第１の器具部分および前記第２の器具部分の少なくとも一方が、切断ブレード、鋭い鋸状刃、鋭いＶ型ノッチ、複数の切断歯、複数の歯、複数の鋭い突起部、およびブレードにおける複数の開口部のうち１つを具えることを特徴とする器具。
【請求項２２】
地表に載っている、あるいはその一部であるマテリアルを処理する器具において、当該器具が：
近位端と遠位端を有する細長いハンドルと；
前記細長いハンドルの近位端における細長いシャフトと；
前記細長いシャフトの遠位端に固定される複合ヘッドとを具え、当該複合ヘッドは、前記ハンドルに対して凸面を規定する側面形状を有する第１の器具部分と、前記細長いハンドルに対して凹面を規定する側面形状を有する第２の器具部分とを有しており；
前記細長いシャフトの遠位端は、前記細長いハンドルの長軸からオフセットし、取付地点で前記第１の器具部分に取り付けられ、前記ハンドルの長軸は前記取付地点から間隔をあけた地点で前記第２の器具部分と交差しており；
当該器具は、前記第１の器具部分を用いて前記マテリアルに作用するよう第１の向きに、あるいは前記ハンドルを１８０度回転させることによって前記第２の器具部分を用いて前記マテリアルに作用するよう第２の向きに、交互に使用できることを特徴とする器具。
【請求項２３】
請求項２２に記載の器具において、前記第１の器具部分は、当該第１の器具部分の端部において前記細長いハンドルに対して３０度未満の第１の接線角度を有し、前記第２の器具部分は、当該第２の器具部分の端部において前記細長いハンドルに対して６０度乃至１２０度の第２の接線角度を有することを特徴とする器具。
【請求項２４】
請求項２２に記載の器具において、前記遠位端および近位端のオフセットが、前記細長いシャフトに沿った少なくとも２の実質的に不連続の外形によって形成されていることを特徴とする器具。
【請求項２５】
請求項２２に記載の器具において、前記複合ヘッドが、前記凸面および前記凹面の双方の一部を形成する部分を具えることを特徴とする器具。
【請求項２６】
請求項２２に記載の器具において、前記細長いシャフトが溶接およびアタッチメントの少なくとも一方によって前記ハンドルに取り付けられ、前記アタッチメントは、前記細長いシャフトおよび前記ハンドル上の協働するねじ山、および相互に取り付けられた場合に前記細長いシャフトとハンドルを交差するピンであって、前記ハンドルを前記細長いシャフトに固定するピンの少なくとも一方を具えていることを特徴とする器具。
【請求項２７】
請求項２２に記載の器具において、前記複合ヘッドが、単一の鋳金プロセスから形成されることを特徴とする器具。
【請求項２８】
請求項２２に記載の器具において、前記細長いシャフトの遠位端が、前記第１の器具部分の頂部で前記複合ヘッドに取り付けられることを特徴とする器具。
【請求項２９】
請求項２２に記載の器具において、前記第１の器具部分および前記第２の器具部分が、前記第１および第２の器具部分の側面形状に従った単一の共通の側壁を有することを特徴とする器具。
【請求項３０】
請求項２２に記載の器具において、前記第１の器具部分および前記第２の器具部分が、前記第１および第２の器具部分の側面形状に従った２の共通の側壁を有することを特徴とする器具。
【請求項３１】
請求項２２に記載の器具において、前記細長いハンドルおよび細長いシャフトが、押出金属管から一体的に形成されることを特徴とする器具。
【請求項３２】
請求項２２に記載の器具において、前記第１の器具部分および前記第２の器具部分の少なくとも一方が、切断ブレード、鋭い鋸状刃、鋭いＶ型ノッチ、複数の切断歯、複数の歯、複数の鋭い突起部、およびブレードにおける複数の開口部のうち１つを具えることを特徴とする器具。
【手続補正２】
【補正対象書類名】図面
【補正対象項目名】図１
【補正方法】変更
【補正の内容】
【図１】
2013502518.tif 000048
【手続補正３】
【補正対象書類名】図面
【補正対象項目名】図２
【補正方法】変更
【補正の内容】
【図２】
2013502518.tif 000049
【手続補正４】
【補正対象書類名】図面
【補正対象項目名】図３
【補正方法】変更
【補正の内容】
【図３】
2013502518.tif 000050
【手続補正５】
【補正対象書類名】図面
【補正対象項目名】図４
【補正方法】変更
【補正の内容】
【図４】
2013502518.tif 000051
【手続補正６】
【補正対象書類名】図面
【補正対象項目名】図５
【補正方法】変更
【補正の内容】
【図５】
2013502518.tif 000052
【国際調査報告】
2013502518.tif 000053
2013502518.tif 000054
2013502518.tif 000055